(57)【特許請求の範囲】
【請求項１】
導配管の外面に封止用の金輪を嵌めて袋ナットで締付けて接続した管継手部の補修方法であって、前記袋ナットをねじ戻して継手部から退避させ、前記金輪を切断して取り外し、この金輪による前記導配管の外面にある食い込み傷の深さだけ前記導配管を拡管し、前記食い込み傷を除去するまで前記導配管の外面の切削及び仕上げ加工を行って元の外径寸法形状に整形することを特徴とする管継手部の補修方法。
【請求項２】
導配管の外面に封止用の金輪を嵌めて袋ナットで締付けて接続した管継手部の補修方法であって、前記袋ナットをねじ戻して継手部から退避させ、前記金輪を切断して取り外し、この金輪による前記導配管の外面にある食い込み傷の深さだけ前記導配管を拡管し、前記食い込み傷を除去するまで前記導配管の外面の切削及び仕上げ加工を行って元の外径寸法形状に整形した後、再びこの導配管の外面に封止用の金輪を嵌めて袋ナットで締付けて接続し復旧することを特徴とする管継手部の補修方法。
【発明の詳細な説明】
【０００１】
【発明の属する技術分野】
この発明は、例えば、原子力発電所等に設けられて高圧，高温等の厳しい条件に耐える小口径の導配管に適用された高圧シール継手（スウェジロック継手）の継手部の補修方法に関するものである。
【０００２】
【従来の技術】
従来、導配管の外面に断面くさび状の封止用の金輪（フェルール）を嵌めて袋ナットで締付けて接続した管継手（スウェジロック継手）の継手部が劣化して耐圧又は封止機能が低下したなどの理由でこれを補修する場合、袋ナットを外して金輪を切断して取り外すと、導配管の外面に金輪の食い込み傷が残っており、そのままの導配管の状態では、新しい金輪を嵌めて復旧しても漏れるおそれがあるので、傷の付いた導配管を切断して新しい管を取り付けて接続するとか、ディープボア継手に取り替えて旧金輪による傷の位置を避けて接続するというような手段がとられている。
【０００３】
【発明が解決しようとする課題】
従来の管継手部の補修方法は上記のようであるが、導配管を切断して新しい管を取り付けるということは他の部材との関係寸法等により不可能な場合がある。また、ディープボア継手に取り替えると、継手位置が変わって以後の継手脱着が不可能になる場合があるというような課題があった。
【０００４】
この発明は上記課題を解消するためになされたもので、導配管を切断することなく、補修前の継手位置で、補修前と同じスウェジロック継手により接続することができる管継手部の補修方法を得ることを目的とする。
【０００５】
【課題を解決するための手段】
この発明に係る管継手部の補修方法は、袋ナットをねじ戻して継手部から退避させ、金輪を切断して取り外し、この金輪による導配管の外面にある食い込み傷の深さだけ前記導配管を拡管し、前記食い込み傷を除去するまでこの導配管の外面の切削及び仕上げ加工を行って元の外径寸法形状に整形するものである。
【０００６】
この発明における補修方法により、袋ナットを退避させ、金輪を取り外し、導配管を拡管し、導配管の外面にある金輪による食い込み傷を除去するまで導配管の外面の切削及び仕上げ加工を行って元の外径寸法形状に整形すれば、導配管のシール位置を変更することなく新しい継手により接続することができる。
【０００７】
また、この発明に係る管継手部の補修方法は、袋ナットをねじ戻して継手部から退避させ、金輪を切断して取り外し、この金輪による導配管の外面にある食い込み傷の深さだけ前記導配管を拡管し、前記食い込み傷を除去するまでこの導配管の外面の切削及び仕上げ加工を行って元の外径寸法形状に整形した後、再びこの導配管の外面に断面くさび状の金輪を嵌めて袋ナットで締付けて接続し復旧したものである。
【０００８】
この発明における補修方法により、袋ナットを退避させ、金輪を取り外し、導配管を拡管し、導配管の外面にある金輪による食い込み傷を除去するまで導配管の外面の切削及び仕上げ加工を行って元の外径寸法形状に整形すれば、導配管のシール位置を変更することなく、再びこの導配管の外面に封止用の新しい金輪を嵌めて袋ナットで締付けて接続することができる。
【０００９】
【発明の実施の形態】
以下、この発明の実施の一形態を図について説明する。図１はこの発明による管継手部の補修方法の手順を示し、図１（Ａ）は継手の分解中の状態を示す図、（Ｂ）は金輪（フェルール）を切断している状態を示す図、（Ｃ）は導配管を拡管している状態を示す図、（Ｄ）は導配管の外径を切削している状態を示す図である。
【００１０】
図１において、１は例えば原子炉容器内計装用の導配管（コンジットチューブ）、２は導配管１の外面に嵌められた断面くさび状の封止用の金輪（フェルール）、３は導配管側の袋ナット、４は計装用のシンブル管（シンブルチューブ）、５はシンブル管４の外面に嵌められた金輪（フェルール）、６はシンブル管側の袋ナット、７はフレア継手金物であり、導配管側袋ナット３をねじ込んで導配管側金輪２を締付けるとともに、シンブル管側袋ナット６をねじ込んでシンブル管側金輪５を締付けて漏れを封止するように形成されたものである。また、８は異物混入防止治具、９はシンブル管挿抜治具、１０は金輪切断工具、１１は拡管工具、１２は外径加工工具、１３は切削バイト、１４は貫通部壁体である。
【００１１】
図１（Ａ）に示すように、導配管１は貫通部壁体１４に固着されており、導配管１内にシンブル管４が導かれている。この管継手は導配管１からシンブル管４が出る箇所における流体の漏れを封止するものであり、この管継手の組立状態では、導配管側金輪２を導配管側袋ナット３の内側に入れて、導配管側袋ナット３をフレア継手金物７にねじ込んで導配管側金輪２を締付けて導配管側金輪２を導配管１，導配管側袋ナット３及びフレア継手金物７に密接させ、また、シンブル管側金輪５をシンブル管側袋ナット６の内側に入れて、シンブル管側袋ナット６をフレア継手金物７にねじ込んでシンブル管側金輪５を締付けてシンブル管側金輪５をシンブル管４，シンブル管側袋ナット６及びフレア継手金物７に密接させることにより、導配管１とシンブル管４との間からの流体の漏れを封止するようになっている。
【００１２】
この管継手（スウェジロック継手）の継手部を補修するために分解する場合、先ず、図１（Ａ）に示すように、フレア継手金物７に対して導配管側袋ナット３をねじ戻して、フレア継手金物７は導配管側金輪２から離して上方へ抜き出し、導配管側袋ナット３は下方へ退避させる。また、フレア継手金物７に対してシンブル管側袋ナット６をねじ戻して、シンブル管側金輪５からフレア継手金物７は下方へ、シンブル管側袋ナット６は上方へ分離させる。
【００１３】
次に、図１（Ｂ）に示すように、シンブル管４にシンブル管挿抜治具９を取り付けてシンブル管４をこの継手部から退避させる。作業中に導配管１内に異物が入らないように異物混入防止治具８を装着する。次に、金輪切断工具１０を使用してその切刃により導配管１に傷をつけないようにして導配管側金輪２になるべく深い切り込みを入れ、その切り込みに力を加えて導配管側金輪２を破断させ、導配管側金輪２を拡げて導配管１から分離して除去する。
【００１４】
導配管側金輪２を除去した跡には導配管１の外面に導配管側金輪２が食い込んだ傷が残っている。以下、導配管１の外面に残っているこの食い込み傷を除去する作業を行うのであるが、先ず、図１（Ｃ）に示すように、導配管１内に拡管工具１１を挿入して導配管１を拡管する。この拡管の長さ及び径は、導配管１の外面にある食い込み傷の箇所まで、また、この食い込み傷の深さだけ拡げるようにする。
【００１５】
次に、図１（Ｄ）に示すように、外径加工工具１２を導配管１に装着し、切削バイト１３を回転させながら送りをかけて、前記食い込み傷の深さだけ拡管されて大きくなっている導配管１の外面を元来の外径となるまで切削する。これでこの食い込み傷は除去される。切削バイト１３により切削した後、導配管１の外面を研磨仕上げ加工を行い凹凸のない滑らかな外面となるようにする。以上の手順により、導配管１の外面は傷のない元来の外径の滑らかな外面となったので、再び、導配管１に新しく導配管側金輪２を嵌めて導配管側袋ナット３等で締付けてこの補修前と同じ位置に新しくスウェジロック継手又はその他の継手を構成することができる。
【００１６】
【発明の効果】
以上のように、この発明によれば、導配管側金輪（フェルール）を取り外した後、導配管を拡管した後、外面を切削して導配管の外面にある食い込み傷を除去するようにしたので、補修前と同じ継手位置に再び新しくスウェジロック継手又は他の管継手を構成することができる。
【図面の簡単な説明】
【図１】この発明による管継手部の補修方法の手順を示し、（Ａ）は継手の分解中の状態を示す図、（Ｂ）は金輪を切断している状態を示す図、（Ｃ）は拡管している状態を示す図、（Ｄ）は導配管の外径を切削している状態を示す図である。
【符号の説明】
１：導配管、  ２：導配管側金輪、
３：導配管側袋ナット、  ４：シンブル管、
５：シンブル管側金輪、６：シンブル管側袋ナット、
７：フレア継手金物、  ８：異物混入防止治具、
９：シンブル管挿抜治具、  １０：金輪切断工具、
１１：拡管工具、  １２：外径加工工具、
１３：切削バイト、  １４：貫通部壁体。
【図１】
0003670769.tif 000002